(57)【要約】      （修正有）【課題】自動車ガラスの油膜用クリーニングバッグの提供。【解決手段】柔軟で通気性を有する中空の閉じた袋体を具え、袋体内部に水に溶ける無機研磨粉末を収容した油膜用クリーニングバッグ。袋体には吸水性の不織布あるいは綿布、綿紙等の材料を使用することができる。【選択図】図１
0003111591.tif 000002
【実用新案登録請求の範囲】
【請求項１】
柔軟で通気性を有する中空の閉じた袋体を具え、該袋体内部に水に溶ける研磨粉末が収容されて自動車ガラス表面の油膜の擦拭除去に供されることを特徴とする、自動車ガラスの油膜用クリーニングバッグ。
【請求項２】
請求項１記載の自動車ガラスの油膜用クリーニングバッグにおいて、袋体が吸水性を具えたことを特徴とする、自動車ガラスの油膜用クリーニングバッグ。
【請求項３】
請求項１記載の自動車ガラスの油膜用クリーニングバッグにおいて、袋体が不織布、綿紙、綿布のいずれかで形成されたことを特徴とする、自動車ガラスの油膜用クリーニングバッグ。
【請求項４】
請求項１記載の自動車ガラスの油膜用クリーニングバッグにおいて、袋体内部に無機研磨粉末が収容されたことを特徴とする、自動車ガラスの油膜用クリーニングバッグ。
【考案の詳細な説明】
【技術分野】
【０００１】
本考案は一種の自動車ガラスの油膜用クリーニングバッグに係り、特に消費者が自分で自動車ガラス油膜を研磨、擦拭するのに供される使い捨て式の小型袋状クリーニングバッグに関する。
【背景技術】
【０００２】
一般に空気中に含まれる油煙、車両の排出する廃棄及び車両表面のワックス等は、雨が降ると雨水と一緒にフロントガラスを流れ、ガラス表面に油膜を形成する。
【０００３】
車両ガラス表面の油膜は時間と環境の因子により不断に増加し、ワイパ動作時に跳動と騒音を発生し、確実に自動車ガラスをワイパで奇麗にできなくなり、並びにガラス表面に霧状、帯状、ストリップ状及びビーズ状の曖昧な痕跡を発生し、雨の時に運転者の視線に厳重な影響を与える。
【０００４】
現在自動車ガラス用濃縮洗剤は確実にガラス表面の油膜を除去できず、油膜クリーニングペーストを使用しなければならない。ただし市販されている油膜クリーニングペースト製品の価格は高く、変質、硬化しやすく、保存が容易でなく、並びに油膜クリーニング効果が理想的でない。
【考案の開示】
【考案が解決しようとする課題】
【０００５】
本考案の目的は、一種の自動車ガラスの油膜用クリーニングバッグを提供することにあり、それは柔軟な通気性吸水袋体に無機研磨粉末を収容し、湿らせて自動車ガラスの油膜汚れを擦拭するのに用いられ、ガラスの明晰度及び運転の安全視線を保持し、ワイパ動作時の跳動と騒音を防止し、並びに使い捨て式の小型袋状クリーニングバッグは保存期限が長く、携帯が容易で、クリーニング効果が良好で、消費者個人が自分で使用するのに適合するものとされる。
【０００６】
上述の目的を達成するため、本考案の自動車ガラスの油膜用クリーニングバッグは柔軟で通気性を有し中空の閉じた袋体を具え、袋体内部に水に溶ける研磨粉末が収容され、自動車ガラス表面の油膜を擦拭しクリーニングするのに供されるものとする。
【０００７】
ある実施例において、該袋体には吸水性不織布、綿布、或いは綿紙が使用され、無機研磨粉末を収容するものとされる。
【課題を解決するための手段】
【０００８】
請求項１の考案は、柔軟で通気性を有する中空の閉じた袋体を具え、該袋体内部に水に溶ける研磨粉末が収容されて自動車ガラス表面の油膜の擦拭除去に供されることを特徴とする、自動車ガラスの油膜用クリーニングバッグとしている。
請求項２の考案は、請求項１記載の自動車ガラスの油膜用クリーニングバッグにおいて、袋体が吸水性を具えたことを特徴とする、自動車ガラスの油膜用クリーニングバッグとしている。
請求項３の考案は、請求項１記載の自動車ガラスの油膜用クリーニングバッグにおいて、袋体が不織布、綿紙、綿布のいずれかで形成されたことを特徴とする、自動車ガラスの油膜用クリーニングバッグとしている。
請求項４の考案は、請求項１記載の自動車ガラスの油膜用クリーニングバッグにおいて、袋体内部に無機研磨粉末が収容されたことを特徴とする、自動車ガラスの油膜用クリーニングバッグとしている。
【考案の効果】
【０００９】
本考案は柔軟な通気性吸水袋体に無機研磨粉末を収容した組合せ設計により、自動車ガラスの油膜を湿式擦拭除去でき、ガラスの明晰度と運転の安全視線を保持でき、ワイパの跳動と騒音を防止し、並びに使い捨て式の小型袋状包装の保存期限は長く、携帯が容易で、クリーニング効果が良好であり、消費者個人の使用に適合する。
【考案を実施するための最良の形態】
【００１０】
図１、２に示されるように、本考案のクリーニングバッグは自動車ガラス表面の油膜を擦拭して除去するのに用いられ、消費者個人に対して設計された使い捨て式の小型袋状クリーニングバッグである。このクリーニングバッグは少なくとも所定の形状、サイズの中空の閉じた袋体１０を具え、この袋体１０には基本的に柔軟な通気材料が採用され、並びに吸水性を具備し、たとえば不織布、綿布、或いは綿紙で形成される。上述の袋体１０の内部には水に溶ける研磨粉末２０が収容され、該研磨粉末２０には酸化マグネシウム、酸化カルシウム、酸化マンガン、酸化銅、けい酸カルシウム、二酸化けい素、酸化アルミニウム及び酸化鉄等ミネラル物質が採用され、無機研磨物質に属する。
【００１１】
本実施例のクリーニングバッグは長方形の袋体１０に設計され、図１から図３に示されるようであり、袋体１０には不織布材料が選択され、その包装前には先ず展開されて研磨粉末２０が置かれ、その後、折り曲げられて折り辺１１が設けられ、高温でその他の側辺が加圧接合されてシール辺１２、１３、１４が形成され、使い捨て式の小型袋状クリーニングバッグが形成される。このほか、クリーニングバッグの外部が切り裂き式のアルミ箔バッグ（図示せず）で密封される。
【００１２】
実際の使用過程では、先ずクリーニングバッグの袋体１０及び研磨粉末２０が適度に湿らされ、並びにやや湿った状態に絞られてから、自動車ガラス３０の表面の油膜４０を擦拭除去するのに供される（図４）。その後、自動車ガラスを水で洗えば、ガラス３０の明晰度と運転の安全視線を保持できる。無機研磨粉末２０のクリーニング効果は良好で、完全に無臭、無毒、無公害であり、並びに水に溶け、安心して使用できる。
【００１３】
本実施例の研磨式クリーニングバッグはまた自動車ガラス３０表面の油膜４０を除去するのに適合するほか、ゴルフクラブ、調理台、ガスレンジ、レンジフード、食卓、タイル、及びステンレス、クロムメッキ、銅アルミ等の製品への使用に適合する。油膜が厚過ぎる状況の時は、湿らせたクリーニングバッグを局部切り開き、水を含んだ研磨粉末２０を押し出してから、更に袋体１０で擦拭を行なう。
【００１４】
本考案は上述の柔軟な通気性吸水袋体１０に無機研磨粉末２０を収容した組合せ設計により、自動車ガラス３０の油膜４０を湿式擦拭除去でき、ガラスの明晰度と運転の安全視線を保持でき、ワイパの跳動と騒音を防止し、並びに使い捨て式の小型袋状包装の保存期限は長く、携帯が容易で、クリーニング効果が良好であり、消費者個人の使用に適合する。
【００１５】
以上の実施例は本考案の範囲を限定するものではなく、以上の実施例に基づきなしうる細部の修飾或いは改変は、いずれも本考案の請求範囲に属するものとする。
【図面の簡単な説明】
【００１６】
【図１】本考案の実施例のクリーニングバッグの立体図である。
【図２】図１のクリーニングバッグの断面図である。
【図３】図１のクリーニングバッグの展開図である。
【図４】図１のクリーニングバッグの使用状態図である。
【符号の説明】
【００１７】
１０  袋体      １１  折り辺      １２  シール辺
１３  シール辺  １４  シール辺
２０  研磨粉末
３０  ガラス
４０  油膜
【図１】
0003111591.tif 000003
【図２】
0003111591.tif 000004
【図３】
0003111591.tif 000005
【図４】
0003111591.tif 000006